(57)【特許請求の範囲】
【請求項１】
圧縮機、四方弁、室外熱交換器、膨張弁、二路に分岐された一方の流路に電磁弁を備えた第一室内熱交換器、第一開閉弁を順次配管接続して冷凍サイクルを構成するとともに、前記第一室内熱交換器およびこれに対向する第一室内ファン等を収容した第一室内機を室内の壁面上部に据え付ける一方、前記室外熱交換器およびこれに対向する室外ファン等を収容した室外機を室外に設置してなる空気調和機において、
前記膨張弁と前記圧縮機との間に、第二室内熱交換器と、同第二室内熱交換器および前記膨張弁の間に設けられ、同膨張弁に向けて開となる逆止弁と、前記第二室内熱交換器および前記圧縮機の間に設けられた第二開閉弁とを順次配管接続してバイパス路を構成するとともに、前記第二室内熱交換器およびこれに対向する第二室内ファン等を収容した第二室内機を室内の壁面下部に据え付けてなり、
冷房運転を行う際、前記四方弁により冷房用の冷媒流路を構成して前記膨張弁および前記第一開閉弁を開くとともに、前記電磁弁を開いて前記第一室内ファンを起動し、前記第二開閉弁を閉じ前記第二室内ファンを停止して、前記第一室内機から室内の上部に冷風を送出するようにし、
除湿運転を行う際、前記四方弁により冷房用の冷媒流路を構成して前記膨張弁および前記第一開閉弁を開くとともに、前記電磁弁を開いて前記第一室内ファンを起動し、前記第二開閉弁を閉じ前記第二室内ファンを起動して、前記第一室内機から室内の上部に冷風を送出するのと同時に、前記第二室内機から室内の下部に室内空気と同じ温度の空気を送出するようにし、
暖房運転を行う際、前記四方弁により暖房用の冷媒流路を構成して前記第一開閉弁を閉じるとともに、前記第一室内ファンを停止し、前記第二開閉弁および前記膨張弁を開き、前記第二室内ファンを起動して、前記第二室内機から室内の下部に温風を送出するようにしたことを特徴とする空気調和機。
【請求項２】
冷房運転を行う際、前記四方弁により冷房用の冷媒流路を構成して前記第一膨張弁および前記第一開閉弁を開くとともに、前記電磁弁を閉じて前記第一室内ファンを起動し、前記第二開閉弁を閉じ前記第二室内ファンを停止して、前記第一室内機から室内の上部に冷風を送出するようにしたことを特徴とする請求項１に記載の空気調和機。
【請求項３】
除湿運転を行う際、前記四方弁により冷房用の冷媒流路を構成して前記膨張弁および前記第一開閉弁を開くとともに、前記電磁弁を閉じて前記第一室内ファンを起動し、前記第二開閉弁を閉じ前記第二室内ファンを起動して、前記第一室内機から室内の上部に冷風を送出するのと同時に、前記第二室内機から室内の下部に室内空気と同じ温度の空気を送出するようにしたことを特徴とする請求項１に記載の空気調和機。
【請求項４】
冷房運転を行う際、前記四方弁により冷房用の冷媒流路を構成して前記膨張弁および前記第一開閉弁を開くとともに、前記電磁弁を開いて前記第一室内ファンを起動し、前記第二開閉弁を開き前記第二室内ファンを起動して、前記第一室内機から室内の上部に冷風を送出するのと同時に、前記第二室内機から室内の下部に冷風を送出するようにしたことを特徴とする請求項１に記載の空気調和機。
【請求項５】
冷房運転を行う際、前記四方弁により冷房用の冷媒流路を構成して前記膨張弁および前記第一開閉弁を開くとともに、前記電磁弁を閉じて前記第一室内ファンを起動し、前記第二開閉弁を開き前記第二室内ファンを起動して、前記第一室内機から室内の上部に冷風を送出するのと同時に、前記第二室内機から室内の下部に冷風を送出するようにしたことを特徴とする請求項１に記載の空気調和機。
【請求項６】
除霜運転を行う際、前記四方弁により冷房用の冷媒流路を構成して前記膨張弁および前記第一開閉弁を開くとともに、前記電磁弁を開いて前記第一室内ファンを起動し、前記第二開閉弁を開いて前記第二室内ファンを起動するようにしたことを特徴とする請求項１に記載の空気調和機。
【請求項７】
除霜運転を行う際、前記四方弁により冷房用の冷媒流路を構成して前記膨張弁および前記第一開閉弁を開くとともに、前記電磁弁を閉じて前記第一室内ファンを起動し、前記第二開閉弁を開いて前記第二室内ファンを起動するようにしたことを特徴とする請求項１に記載の空気調和機。
【請求項８】
暖房運転を行う際、前記四方弁により暖房用の冷媒流路を構成して前記膨張弁および前記第二開閉弁を開くとともに、前記第二室内ファンを起動し、前記第一開閉弁を閉じて前記第一室内ファンを起動し、前記第一室内機から室内の上部に室内空気と同じ温度の空気を送出するのと同時に、前記第二室内機から室内の下部に温風を送出するようにしたことを特徴とする請求項１に記載の空気調和機。
【請求項９】
暖房運転を行う際、前記四方弁により暖房用の冷媒流路を構成して前記膨張弁および前記第一開閉弁を開くとともに、前記電磁弁を開いて前記第一室内ファンを起動し、前記第二開閉弁を開き前記第二室内ファンを起動して、前記第一室内機から室内の上部に温風を送出するのと同時に、前記第二室内機から室内の下部に温風を送出するようにしたことを特徴とする請求項１に記載の空気調和機。
【請求項１０】
暖房運転を行う際、前記四方弁により暖房用の冷媒流路を構成して前記膨張弁および前記第一開閉弁を開くとともに、前記電磁弁を閉じて前記第一室内ファンを起動し、前記第二開閉弁を開き前記第二室内ファンを起動して、前記第一室内機から室内の上部に温風を送出するのと同時に、前記第二室内機から室内の下部に温風を送出するようにしたことを特徴とする請求項１に記載の空気調和機。
【発明の詳細な説明】
【０００１】
【発明の属する技術分野】
本発明は、空気調和機に係わり、より詳細には、一台の室外機に接続された二台の室内機を室内の壁面上下部に夫々据え付け、互いに相関関係のある運転を行うことによってより快適な空気調和を実現できるようにしたものに関する。
【０００２】
【従来の技術】
従来の空気調和機は、例えば図８で示すように、一台の室外機Ａに接続された一台の室内機B'を室内の壁面上部に据え付けて、例えば冷房運転時には、矢印a'で示すような略水平方向に冷風を送出するようにし、また暖房運転時には、矢印b'で示すような下方に温風を送出するようにして空気調和を行っていた。
【０００３】
しかしながら、空気調和を行う室内が広い場合や、とくに天井が高いような場合には、冷房運転時の冷風や、暖房運転時の温風を室内全体に充分に行き届かせるのが困難になるため、快適な空気調和が実現できにくいという問題を有していた。
【０００４】
【発明が解決しようとする課題】
本発明においては、上記の問題点に鑑み、一台の室外機に接続された二台の室内機を室内の壁面上下部に夫々据え付け、互いに相関関係のある運転を行うことによってより快適な空気調和を実現できるようにした空気調和機を提供することを目的とする。
【０００５】
【課題を解決するための手段】
本発明は、上記課題を解決するため、圧縮機、四方弁、室外熱交換器、膨張弁、二路に分岐された一方の流路に電磁弁を備えた第一室内熱交換器、第一開閉弁を順次配管接続して冷凍サイクルを構成するとともに、前記第一室内熱交換器およびこれに対向する第一室内ファン等を収容した第一室内機を室内の壁面上部に据え付ける一方、前記室外熱交換器およびこれに対向する室外ファン等を収容した室外機を室外に設置してなる空気調和機において、
前記膨張弁と前記圧縮機との間に、第二室内熱交換器と、同第二室内熱交換器および前記膨張弁の間に設けられ、同膨張弁に向けて開となる逆止弁と、前記第二室内熱交換器および前記圧縮機の間に設けられた第二開閉弁とを順次配管接続してバイパス路を構成するとともに、前記第二室内熱交換器およびこれに対向する第二室内ファン等を収容した第二室内機を室内の壁面下部に据え付けてなり、冷房運転を行う際、前記四方弁により冷房用の冷媒流路を構成して前記膨張弁および前記第一開閉弁を開くとともに、前記電磁弁を開いて前記第一室内ファンを起動し、前記第二開閉弁を閉じ前記第二室内ファンを停止して、前記第一室内機から室内の上部に冷風を送出するようにし、
除湿運転を行う際、前記四方弁により冷房用の冷媒流路を構成して前記膨張弁および前記第一開閉弁を開くとともに、前記電磁弁を開いて前記第一室内ファンを起動し、前記第二開閉弁を閉じ前記第二室内ファンを起動して、前記第一室内機から室内の上部に冷風を送出するのと同時に、前記第二室内機から室内の下部に室内空気と同じ温度の空気を送出するようにし、
暖房運転を行う際、前記四方弁により暖房用の冷媒流路を構成して前記第一開閉弁を閉じるとともに、前記第一室内ファンを停止し、前記第二開閉弁および前記膨張弁を開き、前記第二室内ファンを起動して、前記第二室内機から室内の下部に温風を送出するようにした構成となっている。
【０００６】
また、冷房運転を行う際、前記四方弁により冷房用の冷媒流路を構成して前記膨張弁および前記第一開閉弁を開くとともに、前記電磁弁を閉じて前記第一室内ファンを起動し、前記第二開閉弁を閉じ前記第二室内ファンを停止して、前記第一室内機から室内の上部に冷風を送出するようにした構成となっている。
【０００７】
また、除湿運転を行う際、前記四方弁により冷房用の冷媒流路を構成して前記膨張弁および前記第一開閉弁を開くとともに、前記電磁弁を閉じて前記第一室内ファンを起動し、前記第二開閉弁を閉じ前記第二室内ファンを起動して、前記第一室内機から室内の上部に冷風を送出するのと同時に、前記第二室内機から室内の下部に室内空気と同じ温度の空気を送出するようにした構成となっている。
【０００８】
また、冷房運転を行う際、前記四方弁により冷房用の冷媒流路を構成して前記膨張弁および前記第一開閉弁を開くとともに、前記電磁弁を開いて前記第一室内ファンを起動し、前記第二開閉弁を開き前記第二室内ファンを起動して、前記第一室内機から室内の上部に冷風を送出するのと同時に、前記第二室内機から室内の下部に冷風を送出するようにした構成となっている。
【０００９】
また、冷房運転を行う際、前記四方弁により冷房用の冷媒流路を構成して前記膨張弁および前記第一開閉弁を開くとともに、前記電磁弁を閉じて前記第一室内ファンを起動し、前記第二開閉弁を開き前記第二室内ファンを起動して、前記第一室内機から室内の上部に冷風を送出するのと同時に、前記第二室内機から室内の下部に冷風を送出するようにした構成となっている。
【００１０】
また、除霜運転を行う際、前記四方弁により冷房用の冷媒流路を構成して前記膨張弁および前記第一開閉弁を開くとともに、前記電磁弁を開いて前記第一室内ファンを起動し、前記第二開閉弁を開いて前記第二室内ファンを起動するようにした構成となっている。
【００１１】
また、除霜運転を行う際、前記四方弁により冷房用の冷媒流路を構成して前記膨張弁および前記第一開閉弁を開くとともに、前記電磁弁を閉じて前記第一室内ファンを起動し、前記第二開閉弁を開いて前記第二室内ファンを起動するようにした構成となっている。
【００１２】
また、暖房運転を行う際、前記四方弁により暖房用の冷媒流路を構成して前記膨張弁および前記第二開閉弁を開くとともに、前記第二室内ファンを起動し、前記第一開閉弁を閉じて前記第一室内ファンを起動し、前記第一室内機から室内の上部に室内空気と同じ温度の空気を送出するのと同時に、前記第二室内機から室内の下部に温風を送出するようにした構成となっている。
【００１３】
また、暖房運転を行う際、前記四方弁により暖房用の冷媒流路を構成して前記膨張弁および前記第一開閉弁を開くとともに、前記電磁弁を開いて前記第一室内ファンを起動し、前記第二開閉弁を開き前記第二室内ファンを起動して、前記第一室内機から室内の上部に温風を送出するのと同時に、前記第二室内機から室内の下部に温風を送出するようにした構成となっている。
【００１４】
更に、暖房運転を行う際、前記四方弁により暖房用の冷媒流路を構成して前記膨張弁および前記第一開閉弁を開くとともに、前記電磁弁を閉じて前記第一室内ファンを起動し、前記第二開閉弁を開き前記第二室内ファンを起動して、前記第一室内機から室内の上部に温風を送出するのと同時に、前記第二室内機から室内の下部に温風を送出するようにした構成となっている。
【００１５】
【発明の実施の形態】
以下、本発明の実施の形態を、添付図面に基づいた実施例として説明する。
図１（Ａ）および図１（Ｂ）と、図２（Ａ）および図２（Ｂ）と、図３（Ａ）および図３（Ｂ）と、図４（Ａ）および図４（Ｂ）と、図５（Ａ）および図５（Ｂ）と、図６（Ａ）および図６（Ｂ）と、図７（Ａ）および図７（Ｂ）とにおいて、Ａは室外に設置された室外機、ＢおよびＣは同室外機Ａに接続されて室内の壁面上下部に据え付けられ、後述する第一室内熱交換器等を収容した第一室内機および後述する第二室内熱交換器等を収容した第二室内機で、これらは順次配管接続された構成となっている。
【００１６】
１は圧縮機、２は四方弁、３は室外熱交換器、４は膨張弁、７は二路に分岐された一方の流路に電磁弁６を備えた第一室内熱交換器、８は第一開閉弁で、これらを順次配管接続して冷凍サイクルを構成するとともに、前記第一室内熱交換器７およびこれに対向する第一室内ファン５等を収容した第一室内機Ｂを室内の壁面上部に据え付けた構成となっている。
【００１７】
また、前記冷凍サイクルを構成する前記膨張弁４と前記圧縮機１との間に、第二室内熱交換器10と、同第二室内熱交換器10と前記膨張弁４との間に設けられ、同膨張弁４に向けて開となる逆止弁12と、前記第二室内熱交換器10と前記圧縮機１との間に設けられた第二開閉弁11とからなるバイパス路を付設するとともに、前記第二室内熱交換器10およびこれに対向する第一室内ファン５等を収容した第一室内機Ｂを室内の壁面上部に据え付けた構成となっている。
【００１８】
前記冷凍サイクルに前記バイパス路を付設して、室内の壁面上下部に据え付けられた前記第一室内機Ｂおよび前記第二室内機Ｃによって冷房運転を行う際、第一の実施例として図１（Ａ）および図１（Ｂ）で示すように、前記四方弁２により冷房用の冷媒流路を構成して前記膨張弁４および前記第一開閉弁８を開くとともに、前記電磁弁６を開いて前記第一室内ファン５を起動し、前記第二開閉弁11を閉じ前記第二室内ファン９を停止して、矢印ａのように前記第一室内機Ｂから室内の上部に冷風を送出するようにしたことにより、
使用者に対し冷風を直接に吹き付けることのない、快適な空気調和を実現できるようにした構成となっている。
なお、前記第一室内ファン４は、例えば運転開始時に高速回転とし、室内温度が下降するのに応じて中速回転から低速回転へと順次切り替えることによって快適な冷房運転を実現できる。
【００１９】
また、除湿運転を行う際、第二の実施例として図２（Ａ）および図２（Ｂ）で示すように、前記四方弁２により冷房用の冷媒流路を構成して前記膨張弁４および前記第一開閉弁８を開くとともに、前記電磁弁６を開いて前記第一室内ファン５を起動し、前記第二開閉弁11を閉じ前記第二室内ファン９を起動して、矢印ｂのように前記第一室内機Ｂから室内の上部に冷風を送出するのと同時に、矢印ｃのように前記第二室内機Ｃから室内の下部に室内空気と同じ温度の空気を送出するようにしたことにより、
使用者に対し冷風を直接に吹き付けることがなく、居室内の下部に室内空気と同じ温度の空気を送出することにより、快適な空気調和を実現できるようにした構成となっている。
なお、前記第一室内ファン４および前記第二室内ファン９は、例えば運転開始時に高速回転とし、室内湿度が低下するのに応じて中速回転から低速回転へと順次切り替えることによって快適な除湿運転を実現できる。
【００２０】
また、暖房運転を行う際、第三の実施例として図３（Ａ）および図３（Ｂ）で示すように、前記四方弁２により暖房用の冷媒流路を構成して前記第一開閉弁８を閉じるとともに、前記第一室内ファン５を停止し、前記第二開閉弁11および前記膨張弁４を開き、前記第二室内ファン９を起動して、矢印ｄのように前記第二室内機Ｂから室内の下部に温風を送出するようにしたことにより、
使用者の足元に向けて温風を効果的に吹き出すことで、快適な空気調和を実現できるようにした構成となっている。
なお、前記第二室内ファン９は、例えば運転開始時に高速回転とし、室内温度が上昇するのに応じて中速回転から低速回転へと順次切り替えることによって快適な暖房運転を実現できる。
【００２１】
また、冷房運転を行う際、上記に説明した第一の実施例の一応用例として図１（Ａ）および図１（Ｂ）で示すように、前記四方弁２により冷房用の冷媒流路を構成して前記膨張弁４および前記第一開閉弁８を開くとともに、前記電磁弁６を閉じて前記第一室内ファン５を起動し、前記第二開閉弁11を閉じ前記第二室内ファン９を停止して、前記第一室内機Ｂから室内の上部に冷風を送出するようにしたことにより、
第一の実施例で説明した冷房運転時の冷風よりも少し温度の高い冷風を、前記第一室内機Ｂから、使用者に直接に吹き付けないように送出できるようにした構成となっている。
【００２２】
また、除湿運転を行う際、上記に説明した第一の実施例の他の応用例として図２（Ａ）および図２（Ｂ）で示すように、前記四方弁２により冷房用の冷媒流路を構成して前記膨張弁４および前記第一開閉弁８を開くとともに、前記電磁弁６を閉じて前記第一室内ファン５を起動し、前記第二開閉弁11を閉じ前記第二室内ファン９を起動して、前記第一室内機Ｂから室内の上部に冷風を送出するのと同時に、前記第二室内機Ｃから室内の下部に室内空気と同じ温度の空気を送出するようにしたことにより、
第一の実施例で説明した除湿運転時の冷風よりも少し温度の高い冷風を、前記第一室内機Ｂから、使用者に直接に吹き付けないように送出できるようにした構成となっている。
【００２３】
また、冷房運転を行う際、第四の実施例として図４（Ａ）および図４（Ｂ）で示すように、前記四方弁２により冷房用の冷媒流路を構成して前記膨張弁４および前記第一開閉弁８を開くとともに、前記電磁弁６を開いて前記第一室内ファン５を起動し、前記第二開閉弁９を開き前記第二室内ファン９を起動して、矢印ｅのように前記第一室内機Ｂから室内の上部に冷風を送出するのと同時に、矢印ｆのように前記第二室内機Ｃから室内の下部に冷風を送出するようにしたことにより、
室内の上部および下部の両方に冷風を吹き出すことによって、空気調和を行う室内が広い場合や、とくに天井が高いような場合であっても、急速に冷房する冷房運転を実現できるようにした構成となっている。
【００２４】
また、冷房運転を行う際、上記に説明した第四の実施例の一応用例として図４（Ａ）および図４（Ｂ）で示すように、前記四方弁２により冷房用の冷媒流路を構成して前記膨張弁４および前記第一開閉弁８を開くとともに、前記電磁弁６を閉じて前記第一室内ファン５を起動し、前記第二開閉弁11を開き前記第二室内ファン９を起動して、前記第一室内機Ｂから室内の上部に冷風を送出するのと同時に、前記第二室内機Ｃから室内の下部に冷風を送出するようにしたことにより、
第四の実施例で説明した冷房運転時の冷風よりも少し温度の高い冷風を、前記第一室内機Ｂから、室内の上部に送出できるようにした構成となっている。
【００２５】
また、除霜運転を行う際、第五の実施例として図５（Ａ）および図５（Ｂ）で示すように、前記四方弁２により冷房用の冷媒流路を構成して前記膨張弁４および前記第一開閉弁８を開くとともに、前記電磁弁６を開いて前記第一室内ファン５を起動し、前記第二開閉弁11を開いて前記第二室内ファン９を起動するようにしたことにより、
前記第一室内ファン５を低速回転させて、前記第一室内機Ｂの吹出口から吹き出す吹出空気ｇを同第一室内機Ｂの吸込口に循環させるとともに、前記第二室内ファン９を低速回転させて吹出空気ｈを前記第二室内機Ｃから吹き出しながら効率よく除霜運転を行えるようにした構成となっている。
【００２６】
また、除霜運転を行う際、上記に説明した第五の実施例の一応用例として図５（Ａ）および図５（Ｂ）で示すように、前記四方弁２により冷房用の冷媒流路を構成して前記膨張弁４および前記第一開閉弁８を開くとともに、前記電磁弁６を閉じて前記第一室内ファン５を起動し、前記第二開閉弁９を開いて前記第二室内ファン９を起動するようにしたことにより、
第五の実施例で説明した除霜運転時の吹出空気よりも少し温度の高い吹出空気を、前記第一室内機Ｂから室内の上部に送出できるようにした構成となっている。
【００２７】
また、暖房運転を行う際、第六の実施例として図６（Ａ）および図６（Ｂ）で示すように、前記四方弁２により暖房用の冷媒流路を構成して前記膨張弁４および前記第二開閉弁11を開くとともに、前記第二室内ファン９を起動し、前記第一開閉弁８を閉じて前記第一室内ファン５を起動し、矢印ｊのように前記第一室内機Ｂから室内の上部に室内空気と同じ温度の空気を送出するのと同時に、矢印ｋのように前記第二室内機Ｃから室内の下部に温風を送出するようにしたことにより、
前記第一室内機Ｂから送出した吹出空気で、前記第二室内機Ｃから送出した温風が上昇しないように抑えながら、快適な空気調和を実現できるようにした構成となっている。
なお、前記第一室内ファン４は低速回転とし、前記第二室内ファン９は室内温度が上昇するのに応じて中速回転から低速回転へと順次切り替えることによって快適な暖房運転を実現できる。
【００２８】
また、暖房運転を行う際、第七の実施例として図７（Ａ）および図７（Ｂ）で示すように、前記四方弁２により暖房用の冷媒流路を構成して前記膨張弁４および前記第一開閉弁８を開くとともに、前記電磁弁６を開いて前記第一室内ファン５を起動し、前記第二開閉弁11を開き前記第二室内ファン９を起動して、矢印ｍのように前記第一室内機Ｂから室内の上部に温風を送出するのと同時に、矢印ｎのように前記第二室内機Ｃから室内の下部に温風を送出するようにしたことにより、
室内の上部および下部の両方に温風を吹き出すことで、空気調和を行う室内が広い場合や、とくに天井が高いような場合であっても、急速に暖房する暖房運転を実現できるようにした構成となっている。
【００２９】
更に、暖房運転を行う際、上記に説明した第七の実施例の一応用例として図７（Ａ）および図７（Ｂ）で示すように、前記四方弁２により暖房用の冷媒流路を構成して前記膨張弁４および前記第一開閉弁８を開くとともに、前記電磁弁６を閉じて前記第一室内ファン５を起動し、前記第二開閉弁11を開き前記第二室内ファン９を起動して、前記第一室内機Ｂから室内の上部に温風を送出するのと同時に、前記第二室内機Ｃから室内の下部に温風を送出するようにしたことにより、第七の実施例で説明した暖房運転時の温風よりも少し温度の低い温風を、前記第一室内機Ｂから、室内の上部に送出できるようにした構成となっている。
【００３０】
以上の構成により、図１（Ａ）および図１（Ｂ）と、図２（Ａ）および図２（Ｂ）と、図３（Ａ）および図３（Ｂ）と、図４（Ａ）および図４（Ｂ）と、図５（Ａ）および図５（Ｂ）と、図６（Ａ）および図６（Ｂ）と、図７（Ａ）および図７（Ｂ）とに基づいて上記に説明したとおり、空気調和を行う室内が広い場合や、とくに天井が高いような場合であっても、室内温度などに応じて、冷房運転時の冷風や、暖房運転時の温風を室内全体に充分に行き届かせることができるようになり、また、使用者のニーズに応じた温度の吹出空気を自在に混合して、より快適な空気調和が実現できるようにした空気調和機となる。
【００３１】
【発明の効果】
以上のように本発明によると、一台の室外機に接続された二台の室内機を室内の壁面上下部に夫々据え付け、互いに相関関係のある運転を行うことによってより快適な空気調和を実現できるようにした空気調和機となる。
【図面の簡単な説明】
【図１】本発明による空気調和機の第一の実施例を示す説明図で、（Ａ）は冷凍サイクル図であり、（Ｂ）は吹出空気流を示す側面図である。
【図２】本発明による空気調和機の第二の実施例を示す説明図で、（Ａ）は冷凍サイクル図であり、（Ｂ）は吹出空気流を示す側面図である。
【図３】本発明による空気調和機の第三の実施例を示す説明図で、（Ａ）は冷凍サイクル図であり、（Ｂ）は吹出空気流を示す側面図である。
【図４】本発明による空気調和機の第四の実施例を示す説明図で、（Ａ）は冷凍サイクル図であり、（Ｂ）は吹出空気流を示す側面図である。
【図５】本発明による空気調和機の第五の実施例を示す説明図で、（Ａ）は冷凍サイクル図であり、（Ｂ）は吹出空気流を示す側面図である。
【図６】本発明による空気調和機の第六の実施例を示す説明図で、（Ａ）は冷凍サイクル図であり、（Ｂ）は吹出空気流を示す側面図である。
【図７】本発明による空気調和機の第七の実施例を示す説明図で、（Ａ）は冷凍サイクル図であり、（Ｂ）は吹出空気流を示す側面図である。
【図８】従来例による空気調和機の吹出空気流を示す側面図である。
【符号の説明】
Ａ  空気調和機の室外機
Ｂ  空気調和機の第一室内機
Ｃ  空気調和機の第二室内機
１  圧縮機
２  四方弁
３  室外熱交換器
４  膨張弁
５  第一室内ファン
６  電磁弁
７  第一室内熱交換器
８  第一開閉弁
９  第二室内ファン
10  第二室内熱交換器
11  第二開閉弁
12  逆止弁
【図１】
0003988252.tif 000002
【図２】
0003988252.tif 000003
【図３】
0003988252.tif 000004
【図４】
0003988252.tif 000005
【図５】
0003988252.tif 000006
【図６】
0003988252.tif 000007
【図７】
0003988252.tif 000008
【図８】
0003988252.tif 000009